(57)【特許請求の範囲】
【請求項１】
ランダムアクセス方法であって、
ユーザ機器（ＵＥ）又は該ＵＥのためのチップセットによってネットワークデバイスからランダムアクセス設定パラメータの少なくとも２つのグループを受け、ランダムアクセス設定パラメータの各グループは、ランダムアクセスプリアンブルの再送のための電力調整ステップを有する、ことと、
前記ＵＥ又は該ＵＥのための前記チップセットによって、チャネル品質閾値と、異なる送信ビームに対応する異なるダウンリンク信号の測定を通じて得られるチャネル品質とに基づき、前記ランダムアクセス設定パラメータの少なくとも２つのグループからランダムアクセス設定パラメータの１グループを選択することと、
前記ＵＥ又は該ＵＥのための前記チップセットによって、前記選択されたランダムアクセス設定パラメータのグループ内の前記ランダムアクセスプリアンブルの再送のための電力調整ステップに基づき、前記ランダムアクセスプリアンブルの送信電力を決定することと、
前記ＵＥ又は該ＵＥのための前記チップセットによって、前記ランダムアクセスプリアンブルを前記決定された送信電力に従って前記ネットワークデバイスへ送ることと
を有する方法。
【請求項２】
ランダムアクセス設定パラメータの各グループは、ランダムアクセスプリアンブルの最大送信量、又はランダムアクセスチャネル（ＲＡＣＨ）のプリアンブルフォーマット、又はランダムアクセスプリアンブルの最大送信量及びランダムアクセスチャネル（ＲＡＣＨ）のプリアンブルフォーマットを更に有する、
請求項１に記載の方法。
【請求項３】
次の：
前記ＵＥ又は該ＵＥのための前記チップセットによって、前記ランダムアクセスプリアンブルの再送のための前記電力調整ステップ及び前記ランダムアクセスプリアンブルの前記最大送信量に基づき、前記ランダムアクセスプリアンブルの前記送信電力を決定すること、
前記ＵＥ又は該ＵＥのための前記チップセットによって、前記ランダムアクセスプリアンブルの再送のための前記電力調整ステップ及び前記ランダムアクセスチャネル（ＲＡＣＨ）の前記プリアンブルフォーマットに基づき、前記ランダムアクセスプリアンブルの前記送信電力を決定すること、
前記ＵＥ又は該ＵＥのための前記チップセットによって、前記ランダムアクセスプリアンブルの再送のための前記電力調整ステップ、前記ランダムアクセスプリアンブルの前記最大送信量及び前記ランダムアクセスチャネル（ＲＡＣＨ）の前記プリアンブルフォーマットに基づき、前記ランダムアクセスプリアンブルの前記送信電力を決定すること
のうちの１つを更に有する、
請求項２に記載の方法。
【請求項４】
前記ＵＥ又は該ＵＥのための前記チップセットによって、ネットワークデバイスからランダムアクセス設定パラメータの少なくとも２つのグループを受けることは、
前記ＵＥ又は該ＵＥのための前記チップセットによって、前記ネットワークデバイスからシステム情報を受けることを有し、該システム情報が、前記ランダムアクセス設定パラメータの少なくとも２つのグループを有する、
請求項１乃至３のうちいずれか一項に記載の方法。
【請求項５】
前記システム情報は、前記チャネル品質閾値を更に有し、該チャネル品質閾値は、１つの閾値又は複数の閾値を有する、
請求項４に記載の方法。
【請求項６】
前記ダウンリンク信号は、同期信号、ブロードキャストチャネル、又はブロードキャストチャネルの復調参照信号のうちの少なくとも１つを有する、
請求項１乃至５のうちいずれか一項に記載の方法。
【請求項７】
プロセッサ、送信器及び受信器を有し、
前記受信器は、ネットワークデバイスからランダムアクセス設定パラメータの少なくとも２つのグループを受けるよう構成され、ランダムアクセス設定パラメータの各グループは、ランダムアクセスプリアンブルの再送のための電力調整ステップを有し、
前記プロセッサは、チャネル品質閾値と、異なる送信ビームに対応する異なるダウンリンク信号の測定を通じて得られるチャネル品質とに基づき、前記ランダムアクセス設定パラメータの少なくとも２つのグループからランダムアクセス設定パラメータの１グループを選択し、該選択されたランダムアクセス設定パラメータのグループ内の前記ランダムアクセスプリアンブルの再送のための電力調整ステップに基づき、前記ランダムアクセスプリアンブルの送信電力を決定するよう構成され、
前記送信器は、前記決定された送信電力に従って前記ランダムアクセスプリアンブルを前記ネットワークデバイスへ送るよう構成される、
装置。
【請求項８】
前記ダウンリンク信号は、同期信号、ブロードキャストチャネル、又はブロードキャストチャネルの復調参照信号のうちの少なくとも１つを有する、
請求項７に記載の装置。
【請求項９】
ランダムアクセス方法であって、
ネットワークデバイス又は該ネットワークデバイスのためのチップセットによって、ランダムアクセス設定パラメータの少なくとも２つのグループをユーザ機器へ送り、前記ランダムアクセス設定パラメータの各グループは、ランダムアクセスプリアンブルの再送のための電力調整ステップを有する、ことと、
前記ネットワークデバイス又は該ネットワークデバイスのための前記チップセットによって、前記ユーザ機器から送信電力を有するランダムアクセスプリアンブルを受け、前記送信電力は、チャネル品質閾値と、異なる送信ビームに対応する異なるダウンリンク信号の測定を通じて得られるチャネル品質とに基づき前記ランダムアクセス設定パラメータの少なくとも２つのグループから選択されたランダムアクセス設定パラメータの１グループに含まれるランダムアクセスプリアンブルの再送のための電力調整ステップに従って決定される、ことと
を有する方法。
【請求項１０】
ランダムアクセス設定パラメータの各グループは、ランダムアクセスプリアンブルの最大送信量、又はランダムアクセスチャネル（ＲＡＣＨ）のプリアンブルフォーマット、又はランダムアクセスプリアンブルの最大送信量及びランダムアクセスチャネル（ＲＡＣＨ）のプリアンブルフォーマットを更に有する、
請求項９に記載の方法。
【請求項１１】
前記送信電力は、次の：
前記ランダムアクセスプリアンブルの再送のための前記電力調整ステップ及び前記ランダムアクセスプリアンブルの前記最大送信量、
前記ランダムアクセスプリアンブルの再送のための前記電力調整ステップ及び前記ランダムアクセスチャネル（ＲＡＣＨ）の前記プリアンブルフォーマット、
前記ランダムアクセスプリアンブルの再送のための前記電力調整ステップ、前記ランダムアクセスプリアンブルの前記最大送信量及び前記ランダムアクセスチャネル（ＲＡＣＨ）の前記プリアンブルフォーマット
のうちの１つに従って決定される、
請求項１０に記載の方法。
【請求項１２】
前記ネットワークデバイス又は該ネットワークデバイスのための前記チップセットによって、ランダムアクセス設定パラメータの少なくとも２つのグループを前記ユーザ機器へ送ることは、
前記ネットワークデバイス又は該ネットワークデバイスのための前記チップセットによって、システム情報を前記ユーザ機器へ送ることを有し、該システム情報が、前記ランダムアクセス設定パラメータの少なくとも２つのグループを有する、
請求項９乃至１１のうちいずれか一項に記載の方法。
【請求項１３】
前記システム情報は、前記チャネル品質閾値を更に有し、該チャネル品質閾値は、１つの閾値又は複数の閾値を有する、
請求項１２に記載の方法。
【請求項１４】
前記ダウンリンク信号は、同期信号、ブロードキャストチャネル、又はブロードキャストチャネルの復調参照信号のうちの少なくとも１つを有する、
請求項９乃至１３のうちいずれか一項に記載の方法。
【請求項１５】
受信器及び送信器を有し、
前記送信器は、ランダムアクセス設定パラメータの少なくとも２つのグループをユーザ機器へ送るよう構成され、前記ランダムアクセス設定パラメータの各グループは、ランダムアクセスプリアンブルの再送のための電力調整ステップを有し、
前記受信器は、前記ユーザ機器から送信電力を有するランダムアクセスプリアンブルを受けるよう構成され、前記送信電力は、チャネル品質閾値と、異なる送信ビームに対応する異なるダウンリンク信号の測定を通じて得られるチャネル品質とに基づき前記ランダムアクセス設定パラメータの少なくとも２つのグループから選択されたランダムアクセス設定パラメータの１グループに含まれるランダムアクセスプリアンブルの再送のための電力調整ステップに従って決定される、
装置。
【請求項１６】
前記ダウンリンク信号は、同期信号、ブロードキャストチャネル、又はブロードキャストチャネルの復調参照信号のうちの少なくとも１つを有する、
請求項１５に記載の装置。
【請求項１７】
装置であって、
命令を記憶するよう構成されるメモリと結合されるプロセッサを有し、
前記プロセッサは、前記命令を実行して、当該装置に、請求項１乃至６のうちいずれか一項に記載の方法を実行させるよう構成される、
装置。
【請求項１８】
装置であって、
命令を記憶するよう構成されるメモリと結合されるプロセッサを有し、
前記プロセッサは、前記命令を実行して、当該装置に、請求項９乃至１４のうちいずれか一項に記載の方法を実行させるよう構成される、
装置。
【請求項１９】
プロセッサによって実行される場合に、該プロセッサを含む装置に、請求項１乃至６のうちいずれか一項に記載の方法を実行させるプログラム。
【請求項２０】
プロセッサによって実行される場合に、該プロセッサを含む装置に、請求項９乃至１４のうちいずれか一項に記載の方法を実行させるプログラム。
【請求項２１】
請求項１乃至６のうちいずれか一項に記載の方法を実行するよう構成される装置。
【請求項２２】
請求項９乃至１４のうちいずれか一項に記載の方法を実行するよう構成される装置。
【請求項２３】
請求項７又は８に記載の装置と、請求項１５又は１６に記載の装置とを有する通信システム。
【発明の詳細な説明】
【技術分野】
【０００１】
本願は、“RANDOM  ACCESS  METHOD,  USER  EQUIPMENT,  AND  NETWORK  DEVICE”と題されて２０１７年１月６日付けで中国特許庁に出願された中国特許出願第２０１７１００１２１１７．５号の優先権を主張する。なお、先の中国特許出願は、その全文を参照により本願に援用される。
【０００２】
本願の実施形態は、通信テクノロジの分野に、より具体的には、ランダムアクセス方法、ユーザ機器、及びネットワークデバイスに関係がある。
【背景技術】
【０００３】
ランダムアクセスプロシージャにおいて、ユーザ機器（User  Equipment，ＵＥ）は、物理ランダムアクセスチャネル（Physical  Random  Access  Channel，ＰＲＡＣＨ）を通じてネットワークデバイスへランダムアクセスプリアンブルを送る。ネットワークデバイスがランダムアクセスプリアンブルを検出する場合に、ネットワークデバイスは、ランダムアクセスレスポンスをユーザへ送る。ユーザ機器がネットワークデバイスによって送られたランダムアクセスレスポンスを受け取っていない場合に、ユーザ機器は、ランダムアクセスプリアンブルを再度ネットワークデバイスへ送る必要がある。ランダムアクセスプリアンブルの再送中、ＵＥは、再送を実行するために、次の方法：前の送信で使用されたビームと同じであるビームに基づき出力急昇（power  ramp）を実行すること；又は前の送信で使用されたビームとは異なるビームを使用することによってビーム走査を実行すること；又は異なる受信ビームに対応する他のランダムアクセスリソースへ切り替えること、のうちの１つ以上を使用し得る。
【０００４】
先行技術では、ＵＥのためにネットワークデバイスによって設定されたランダムアクセスチャネル（Random  Access  Channel，ＲＡＣＨ）リソース及びＵＥの出力急昇パラメータが比較的簡単であるから、ＵＥのランダムアクセス効率は比較的低い。その上、ＵＥが複数の候補となるビームフォーミングされたビームに基づきランダムアクセスを実行する場合に、候補ＲＡＣＨリソース上での盲目的出力急昇は、隣接セルへの干渉を引き起こす可能性がある。
【発明の概要】
【０００５】
本願の実施形態は、隣接セルへの干渉を低減するためのランダムアクセス方法、ユーザ機器、及びネットワークデバイスを提供する。
【０００６】
第１の態様に従って、ランダムアクセス方法であって：ユーザ機器（ＵＥ）によって、ネットワークデバイスによって送られたランダムアクセス設定パラメータの少なくとも２つのグループを受け、ランダムアクセス設定パラメータの各グループは、ランダムアクセスプリアンブルの最大送信量及び／又は前記ランダムアクセスプリアンブルの再送のための電力調整ステップを含む、ことと；前記ＵＥによって、前記ＵＥの送信ビームの数量及び／又は閾値に基づき、前記ランダムアクセス設定パラメータの少なくとも２つのグループからランダムアクセス設定パラメータの１グループを選択することと；前記ＵＥによって、前記選択されたランダムアクセス設定パラメータ内の前記ランダムアクセスプリアンブルの最大送信量及び／又は前記ランダムアクセスプリアンブルの再送のための電力調整ステップに基づき、前記ランダムアクセスプリアンブルの送信電力を決定することと；前記ＵＥによって、前記ランダムアクセスプリアンブルを前記送信電力で前記ネットワークデバイスへ送ることとを含む方法が提供される。
【０００７】
従って、本願のこの実施形態におけるランダムアクセス方法に従って、ネットワークデバイスは、ＵＥのためにランダムアクセス設定パラメータの少なくとも２つのグループを設定し、それにより、ＵＥは、ランダムアクセスを実行するよう、実際の状況に基づき、例えば、送信ビームの数量及び閾値に基づき、ランダムアクセス設定パラメータの１つの適切なグループを選択することができ、それによって、隣接セルへの干渉が低減され、ネットワーク全体の全てのユーザのアクセス効率が改善される。
【０００８】
可能な実施において、前記ＵＥによって、前記ＵＥの送信ビームの数量及び／又は閾値に基づき、前記ランダムアクセス設定パラメータの少なくとも２つのグループからランダムアクセス設定パラメータの１グループを選択することは：
前記ＵＥの送信ビームの前記数量が前記閾値よりも多い場合に、前記ＵＥによって、前記ランダムアクセス設定パラメータの少なくとも２つのグループからランダムアクセス設定パラメータの第１グループを選択し、該ランダムアクセス設定パラメータの第１グループ内の前記ランダムアクセスプリアンブルの最大送信量は、前記ランダムアクセス設定パラメータの少なくとも２つのグループの中で最小であり、且つ／あるいは、前記ランダムアクセス設定パラメータの第１グループ内の前記ランダムアクセスプリアンブルの再送のための電力調整ステップは、前記ランダムアクセス設定パラメータの少なくとも２つのグループの中で最大である、こと；及び／又は
前記ＵＥの送信ビームの前記数量が前記閾値以下である場合に、前記ＵＥによって、前記ランダムアクセス設定パラメータの少なくとも２つのグループからランダムアクセス設定パラメータの第２グループを選択し、該ランダムアクセス設定パラメータの第２グループ内の前記ランダムアクセスプリアンブルの最大送信量は、前記ランダムアクセス設定パラメータの少なくとも２つのグループの中で最大であり、且つ／あるいは、前記ランダムアクセス設定パラメータの第２グループ内の前記ランダムアクセスプリアンブルの再送のための電力調整ステップは、前記ランダムアクセス設定パラメータの少なくとも２つのグループの中で最小である、こと
を含む。
【０００９】
ＵＥの送信ビームの数量が閾値よりも多いとき、不適切なビーム上でのランダムアクセスプリアンブルの再送の数を減らすよう、ランダムアクセス設定パラメータの第１グループが選択され、それによって、隣接セルへの干渉が低減され、ＵＥのＲＡＣＨ送信処理遅延が短縮される。
【００１０】
可能な実施において、前記ＵＥによって、前記ＵＥの送信ビームの数量及び／又は閾値に基づき、前記ランダムアクセス設定パラメータの少なくとも２つのグループからランダムアクセス設定パラメータの１グループを選択することは：
前記ＵＥによって、前記ＵＥの送信ビームの前記数量とランダムアクセス設定パラメータの各グループとの間の対応に基づき、前記ランダムアクセス設定パラメータの少なくとも２つのグループからランダムアクセス設定パラメータの１グループを選択すること
を含む。
【００１１】
可能な実施において、前記閾値は少なくとも１つの閾値を含み；
前記ＵＥによって、前記ＵＥの送信ビームの数量及び／又は閾値に基づき、前記ランダムアクセス設定パラメータの少なくとも２つのグループからランダムアクセス設定パラメータの１グループを選択することは：
前記ＵＥによって、前記少なくとも１つの閾値とランダムアクセス設定パラメータの各グループとの間の対応に基づき、前記ランダムアクセス設定パラメータの少なくとも２つのグループからランダムアクセス設定パラメータの１グループを選択すること；又は
前記ＵＥによって、前記少なくとも１つの閾値と、前記送信ビームの数量と、ランダムアクセス設定パラメータの各グループとの間の対応に基づき、前記ランダムアクセス設定パラメータの少なくとも２つのグループからランダムアクセス設定パラメータの１グループを選択すること
を含む。
【００１２】
可能な実施において、ユーザ機器（ＵＥ）によって、ネットワークデバイスによって送られたランダムアクセス設定パラメータの少なくとも２つのグループを受けることは：
前記ＵＥによって、前記ネットワークデバイスによって送られたシステム情報を受け、該システム情報が、前記ランダムアクセス設定パラメータの少なくとも２つのグループを含むこと；又は
前記ＵＥによって、前記ネットワークデバイスによって送られたブロードキャストメッセージを受け、該ブロードキャストメッセージが、前記ランダムアクセス設定パラメータの少なくとも２つのグループを含むこと
を含む。
【００１３】
可能な実施において、前記システム情報は、前記閾値を更に含み、あるいは、前記ブロードキャストメッセージは、前記閾値を更に含む。
【００１４】
第２の態様に従って、ランダムアクセス方法であって：ネットワークデバイスによって、ランダムアクセス設定パラメータの少なくとも２つのグループをユーザ機器（ＵＥ）へ送り、前記ランダムアクセス設定パラメータは、ランダムアクセスプリアンブルの最大送信量及び／又は前記ランダムアクセスプリアンブルの再送のための電力調整ステップを含む、ことと；前記ＵＥが前記ランダムアクセス設定パラメータの少なくとも２つのグループからランダムアクセス設定パラメータの１グループを選択した後に、前記ネットワークデバイスによって、前記ＵＥによって送られた前記ランダムアクセスプリアンブルを受け、該ランダムアクセスプリアンブルの送信電力は、前記選択されたランダムアクセス設定パラメータ内の前記ランダムアクセスプリアンブルの最大送信量及び／又は前記ランダムアクセスプリアンブルの再送のための電力調整ステップに基づき前記ＵＥによって決定される、こととを含む方法が提供される。
【００１５】
従って、本願のこの実施形態におけるランダムアクセス方法に従って、ネットワークデバイスは、ＵＥのためにランダムアクセス設定パラメータの少なくとも２つのグループを設定し、それにより、ＵＥは、ランダムアクセスを実行するよう、実際の状況に基づき、例えば、送信ビームの数量及び閾値に基づき、ランダムアクセス設定パラメータの１つの適切なグループを選択することができ、それによって、隣接セルへの干渉が低減され、ネットワーク全体の全てのユーザのアクセス効率が改善される。
【００１６】
可能な実施において、ネットワークデバイスによって、ランダムアクセス設定パラメータの少なくとも２つのグループをユーザ機器（ＵＥ）へ送ることは：
前記ネットワークデバイスによって、システム情報を前記ＵＥへ送り、該システム情報が、前記ランダムアクセス設定パラメータの少なくとも２つのグループを含むこと；又は
前記ネットワークデバイスによって、ブロードキャストメッセージを前記ＵＥへ送り、該ブロードキャストメッセージが、前記ランダムアクセス設定パラメータの少なくとも２つのグループを含むこと
を含む。
【００１７】
可能な実施において、前記システム情報が閾値を更に含み、あるいは、前記ブロードキャストメッセージが前記閾値を更に含み、前記閾値は、前記ＵＥによって、前記ランダムアクセス設定パラメータの少なくとも２つのグループからランダムアクセス設定パラメータの１グループを選択するために使用される。
【００１８】
第３の態様に従って、ランダムアクセス方法であって：ユーザ機器（ＵＥ）によって、ネットワークデバイスによって送られた第１リソース設定情報を受け、該第１リソース設定情報は、前記ＵＥのために前記ネットワークデバイスによって設定されたＮ個の候補ランダムアクセスチャネル（ＲＡＣＨ）リソースを示すために使用され、Ｎ≧２である、ことと；前記ＵＥによって、前記第１リソース設定情報によって示された前記Ｎ個の候補ＲＡＣＨリソース上でランダムアクセスプリアンブルを前記ネットワークデバイスへ送ることと；前記ＵＥによって、前記ネットワークデバイスによって送られた第２リソース設定情報を受け、該第２リソース設定情報は、対象ＲＡＣＨリソースを識別する識別情報を含み、該対象ＲＡＣＨリソースは、前記Ｎ個の候補ＲＡＣＨリソースの中の１つである、ことと；前記ＵＥによって、前記識別情報によって識別された前記対象ＲＡＣＨリソース上で前記ランダムアクセスプリアンブルを前記ネットワークデバイスへ送ることとを含む方法が提供される。
【００１９】
従って、本願のこの実施形態におけるランダムアクセス方法に従って、ネットワークデバイスは、ネットワークデバイスによって設定されるＮ個の候補ＲＡＣＨリソース上でＵＥによって送られたランダムアクセスプリアンブルに基づき、Ｎ個の候補ＲＡＣＨリソースから比較的望ましいリソースを選択し、その比較的望ましいリソースをＵＥのために設定することができ、それにより、ＵＥは、次のランダムアクセス中にＲＡＣＨリソースを使用することができ、それによって、ＵＥのランダムアクセスの成功率を改善しながら、隣接セルへの干渉が低減される。
【００２０】
可能な実施において、ユーザ機器（ＵＥ）によって、ネットワークデバイスによって送られた第１リソース設定情報を受けることは：
前記ＵＥによって、前記ネットワークデバイスによって送られたシステム情報を受け、該システム情報が前記第１リソース設定情報を含むこと、又は
前記ＵＥによって、前記ネットワークデバイスによって送られたブロードキャスト情報を受け、該ブロードキャスト情報が前記第１リソース設定情報を含むこと
を含む。
【００２１】
可能な実施において、前記ＵＥによって、前記ネットワークデバイスによって送られた第２リソース設定情報を受けることは：
前記ＵＥによって、前記ネットワークデバイスによって送られたＲＡＣＨスケジューリング情報を受け、該ＲＡＣＨスケジューリング情報が前記識別情報を含むこと
を含む。
【００２２】
可能な実施において、前記第１リソース設定情報は、前記ＵＥのために前記ネットワークデバイスによって設定される前記ランダムアクセスプリアンブルの最大送信量若しくは前記ランダムアクセスプリアンブルの再送のための電力調整ステップ又はその両方を更に含む。
【００２３】
可能な実施において、前記Ｎ個の候補ＲＡＣＨリソースの夫々は、前記ネットワークデバイスの１つの受信ビームに対応する。
【００２４】
第４の態様に従って、ランダムアクセス方法であって：ネットワークデバイスによって、第１リソース設定情報をユーザ機器（ＵＥ）へ送り、該第１リソース設定情報は、前記ＵＥのために前記ネットワークデバイスによって設定されたＮ個の候補ランダムアクセスチャネル（ＲＡＣＨ）リソースを示すために使用され、Ｎ≧２である、ことと；前記ネットワークデバイスによって、前記第１リソース設定情報によって示される前記Ｎ個の候補ＲＡＣＨリソース上で前記ＵＥによって送られたランダムアクセスプリアンブルを受けることと；前記ネットワークデバイスによって、第２リソース設定情報を前記ＵＥへ送り、該第２リソース設定情報は、対象ＲＡＣＨリソースを識別する識別情報を含み、該対象ＲＡＣＨリソースは、前記Ｎ個の候補ＲＡＣＨリソースの中の１つである、こととを含む方法が提供される。
【００２５】
従って、本願のこの実施形態におけるランダムアクセス方法に従って、ネットワークデバイスは、ネットワークデバイスによって設定されるＮ個の候補ＲＡＣＨリソース上でＵＥによって送られたランダムアクセスプリアンブルに基づき、Ｎ個の候補ＲＡＣＨリソースから比較的望ましいリソースを選択し、その比較的望ましいリソースをＵＥのために設定することができ、それにより、ＵＥは、次のランダムアクセス中にＲＡＣＨリソースを使用することができ、それによって、ＵＥのランダムアクセスの成功率を改善しながら、隣接セルへの干渉が低減される。
【００２６】
可能な実施において、ネットワークデバイスによって、第１リソース設定情報をユーザ機器（ＵＥ）へ送ることは：
前記ネットワークデバイスによって、システム情報を前記ＵＥへ送り、該システム情報が前記第１リソース設定情報を含むこと；又は
前記ネットワークデバイスによって、ブロードキャスト情報を前記ＵＥへ送り、該ブロードキャスト情報が前記第１リソース設定情報を含むこと
を含む。
【００２７】
可能な実施において、前記ネットワークデバイスによって、第２リソース設定情報を前記ＵＥへ送ることは：
前記ネットワークデバイスによって、ＲＡＣＨスケジューリング情報を前記ＵＥへ送り、該ＲＡＣＨスケジューリング情報が前記第２リソース設定情報を含むこと
を含む。
【００２８】
可能な実施において、前記第１リソース設定情報は、前記ＵＥのために前記ネットワークデバイスによって設定される前記ランダムアクセスプリアンブルの最大送信量若しくは前記プリアンブルの再送のための電力調整ステップ又はその両方を更に含む。
【００２９】
可能な実施において、前記Ｎ個の候補ＲＡＣＨリソースの夫々は、前記ネットワークデバイスの１つの受信ビームに対応する。
【００３０】
第５の態様に従って、ユーザ機器（ＵＥ）が提供され、第１の態様又は第１の態様の可能な実施のうちのいずれか１つにおける方法を実行するよう構成され、あるいは、第３の態様又は第３の態様の可能な実施のうちのいずれか１つにおける方法を実行するよう構成される。具体的に、ユーザ機器（ＵＥ）は、第１の態様又は第１の態様の可能な実施のうちのいずれか１つにおける方法を実行するよう構成されたユニットを含み、あるいは、第３の態様又は第３の態様の可能な実施のうちのいずれか１つにおける方法を実行するよう構成されたユニットを含む。
【００３１】
第６の態様に従って、ネットワークデバイスが提供され、第２の態様又は第２の態様の可能な実施のうちのいずれか１つにおける方法を実行するよう構成され、あるいは、第４の態様又は第４の態様の可能な実施のうちのいずれか１つにおける方法を実行するよう構成される。具体的に、ネットワークデバイスは、第２の態様又は第２の態様の可能な実施のうちのいずれか１つにおける方法を実行するよう構成されたユニットを含み、あるいは、第４の態様又は第４の態様の可能な実施のうちのいずれか１つにおける方法を実行するよう構成されたユニットを含む。
【００３２】
第７の態様に従って、ユーザ機器（ＵＥ）が提供される。ユーザ機器（ＵＥ）は、メモリ及びプロセッサを含む。メモリは、コンピュータプログラムを記憶するよう構成される。プロセッサは、メモリからコンピュータプログラムを呼び出し、コンピュータプログラムを実行するよう構成され、それにより、ＵＥは、第１の態様又は第１の態様の可能な実施のうちのいずれか１つにおける方法を実行し、あるいは、第３の態様又は第３の態様の可能な実施のうちのいずれか１つにおける方法を実行する。
【００３３】
第８の態様に従って、ネットワークデバイスが提供される。ネットワークデバイスは、メモリ及びプロセッサを含む。メモリは、コンピュータプログラムを記憶するよう構成される。プロセッサは、メモリからコンピュータプログラムを呼び出し、コンピュータプログラムを実行するよう構成され、それにより、ネットワークデバイスは、第２の態様又は第２の態様の可能な実施のうちのいずれか１つにおける方法を実行し、あるいは、第４の態様又は第４の態様の可能な実施のうちのいずれか１つにおける方法を実行する。
【００３４】
第９の態様に従って、コンピュータ可読記憶媒体が提供され、コンピュータプログラムを記憶するよう構成され、コンピュータプログラムは、第１の態様乃至第４の態様又は第１の態様乃至第４の態様の可能な実施のうちのいずれか１つにおける方法を実行するために使用される命令を含む。
【図面の簡単な説明】
【００３５】
【図１】本願の実施形態に従うランダムアクセス方法のための通信システムの概略図である。
【図２】ランダムアクセスプロシージャの概略図である。
【図３】本願の実施形態に従うランダムアクセス方法の略フローチャートである。
【図４】本願の他の実施形態に従うランダムアクセス方法の略フローチャートである。
【図５】本願の実施形態に従うユーザ機器（ＵＥ）の略ブロック図である。
【図６】本願の実施形態に従うネットワークデバイスの略ブロック図である。
【図７】本願の他の実施形態に従うユーザ機器（ＵＥ）の略ブロック図である。
【図８】本願の他の実施形態に従うネットワークデバイスの略ブロック図である。
【発明を実施するための形態】
【００３６】
以下は、添付の図面を参照して本願の実施形態における技術的解決法について記載する。
【００３７】
本願の技術的解決法は、様々な通信システム、例えば、グローバル・システム・フォー・モバイル・コミュニケーションズ（Global  System  for  Mobile  communications，ＧＳＭ）、符号分割多重アクセス（Code  Division  Multiple  Access，ＣＤＭＡ）システム、広帯域符号分割多重アクセス（Wideband  Code  Division  Multiple  Access，ＷＣＤＭＡ）システム、汎用パケット無線サービス（General  Packet  Radio  Service，ＧＰＲＳ）システム、ロング・ターム・エボリューション（Long  Term  Evolution，ＬＴＥ）システム、ロング・ターム・エボリューション・アドバンスド（Long  Term  Evolution  Advanced，ＬＴＥ−Ａ）システム、ユニバーサル・モバイル・テレコミュニケーションズ・システム（Universal  Mobile  Telecommunication  System，ＵＭＴＳ）、及び５Ｇシステムに適用されてよい。
【００３８】
ユーザ機器（User  Equipment，ＵＥ）は、端末デバイス、モバイル端末（Mobile  Terminal）、アクセス端末、加入者ユニット、加入者局、移動局、モバイルコンソール、リモート局、リモート端末、モバイルデバイス、ユーザ端末、端末、無線通信デバイス、ユーザエージェント、又はユーザ装置と呼ばれ得る。ＵＥは、無線アクセスネットワーク（Radio  Access  Network，ＲＡＮ）を通じて１つ以上のコアネットワークと通信し得る。ＵＥは、ワイヤレス・ローカル・エリア・ネットワーク（Wireless  Local  Area  Network，ＷＬＡＮ）におけるステーション（Station，ＳＴＡ）であってよく、あるいは、携帯電話機、コードレス電話機、セッション開始プロトコル（Session  Initiation  Protocol，ＳＩＰ）電話機、ワイヤレス・ローカル・ループ（Wireless  Local  Loop，ＷＬＬ）ステーション、パーソナル・デジタル・アシスタント（Personal  Digital  Assistant，ＰＤＡ）デバイス、無線通信機能を有する携帯型デバイス又はコンピュータ装置、無線モデムへ接続された他の処理デバイス、車載デバイス、装用式デバイス、将来の５Ｇネットワーク内の端末デバイス、将来の進化型ＰＬＭＮネットワーク内の端末デバイス、などであってよい。
【００３９】
ネットワークデバイスは、モバイルデバイスと通信するよう構成されたデバイスであってよい。ネットワークデバイスは、ＷＬＡＮ内のアクセス・ポイント（Access  Point，ＡＰ）、又はＧＳＭ若しくは符号分割多重アクセス（Code  Division  Multiple  Access，ＣＤＭＡ）におけるベース・トランシーバ・ステーション（Base  Transceiver  Station，ＢＴＳ）であってよく、あるいは、ＷＣＤＭＡにおけるノードＢ（NodeB，ＮＢ）であってよく、あるいは、ロング・ターム・エボリューション（Long  Term  Evolution，ＬＴＥ）における進化型ノードＢ（evolved  NodeB，ｅＮＢ又はｅＮｏｄｅＢ）、中継局、アクセス・ポイント、車載デバイス、装用式デバイス、将来の５Ｇネットワーク内のネットワークデバイス、将来の進化型ＰＬＭＮネットワーク内のネットワークデバイス、などであってよい。
【００４０】
図１は、本願の実施形態に従うランダムアクセス方法のための通信システムの概略図である。図１に示されるように、通信システム１００は、ネットワークデバイス１０２を含む。ネットワークデバイス１０２は、複数のアンテナ、例えば、アンテナ１０４、１０６、１０８、１１０、１１２、及び１１４を含み得る。更に、ネットワークデバイス１０２は、その上、送信器チェーン及び受信器チェーンを含み得る。当業者は、送信器チェーン及び受信器チェーンが夫々信号送信及び受信に関連した複数の構成要素（例えば、プロセッサ、変調器、マルチプレクサ、復調器、デマルチプレクサ、又はアンテナ）を含んでよいと理解し得る。
【００４１】
ネットワークデバイス１０２は、複数のＵＥ（例えば、ＵＥ１１６及びＵＥ１２２）と通信し得る。しかし、ネットワークデバイス１０２は、ＵＥ１１６又はＵＥ１２２に類似した任意数のＵＥと通信してよいことが理解され得る。ＵＥ１１６及びＵＥ１２２は夫々、例えば、携帯電話機、スマートフォン、ポータブル・コンピュータ、携帯型通信デバイス、携帯型コンピュータ装置、衛星無線装置、グローバル・ポジショニング・システム、ＰＤＡ、及び／又は無線通信システム１００内で通信を行うよう構成されたあらゆる他の適切なデバイスであってよい。
【００４２】
図１に示されるように、ＵＥ１１６は、アンテナ１１２及びアンテナ１１４と通信する。アンテナ１１２及びアンテナ１１４は、下りリンク１１８を通じてＵＥ１１６へ情報を送り、上りリンク１２０を通じてＵＥ１１６から情報を受ける。その上、ＵＥ１２２は、アンテナ１０４及びアンテナ１０６と通信する。アンテナ１０４及びアンテナ１０６は、下りリンク１２４を通じてＵＥ１２２へ情報を送り、上りリンク１２６を通じてＵＥ１２２から情報を受ける。
【００４３】
例えば、周波数分割複信（Frequency  Division  Duplex，ＦＤＤ）システムでは、下りリンク１１８及び上りリンク１２０は異なる周波数帯域を使用することができ、下りリンク１２４及び上りリンク１２６は異なる周波数を使用することができる。
【００４４】
他の例として、時分割複信（Time  Division  Duplex，ＴＤＤ）システム又は全二重通信（Full  Duplex）システムでは、下りリンク１１８及び上りリンク１２０は同じ周波数帯域を使用することができ、下りリンク１２４及び上りリンク１２６は同じ周波数帯域を使用することができる。
【００４５】
通信のために設計された各アンテナグループ（少なくとも１つのアンテナを含む。）及び／又はエリアは、ネットワークデバイス１０２のセクタと呼ばれる。例えば、アンテナグループは、ネットワークデバイス１０２のカバレッジ範囲のセクタ内の端末デバイスと通信するよう設計されてよい。ネットワークデバイス１０２が下りリンク１１８及び下りリンク１２４を夫々通じてＵＥ１１６及びＵＥ１２２と通信するとき、ネットワークデバイス１０２の送信アンテナは、下りリンク１１８の信号対雑音比及び下りリンク１２４の信号対雑音比を改善するためにビームフォーミングを使用し得る。その上、ネットワークデバイスが、ネットワークデバイスのカバレッジ範囲内でネットワークデバイスと通信することができる全てのＵＥへ、無指向性アンテナにより信号を送る場合とは異なり、ネットワークデバイス１０２が、関連するカバレッジ範囲内でランダムに散らばったＵＥ１１６及びＵＥ１２２へ、ビームフォーミングを利用することで信号を送る場合に、隣接セル内のモバイルデバイスは干渉を受ける可能性がある。
【００４６】
ネットワークデバイスがＵＥとデータを送信する前に、ＵＥは最初に、ランダムアクセスプロシージャを実行する必要がある。図２に示されるように、ランダムアクセスプロシージャは、主に次のステップを含む。
【００４７】
Ｓ２１０．ＵＥは、ランダムアクセスプリアンブル（preamble）をランダムに選択し、ＲＡＣＨリソースを使用することによってネットワークデバイスへランダムアクセスプリアンブルを送る。
【００４８】
Ｓ２２０．ランダムアクセスプリアンブルを検出した後、ネットワークデバイスは、ランダムアクセスレスポンスをＵＥへ送る。
【００４９】
ランダムアクセスレスポンスは、次の３種類の情報を含む：受信されたランダムアクセスプリアンブルの数、受信されたランダムアクセスプリアンブルに対応する時間調整量、及びＵＥに割り当てられたアップリンクリソースの位置識別情報。
【００５０】
Ｓ２３０．ランダムアクセスレスポンスを受信した後、ＵＥは、ＵＥに割り当てられたアップリンクリソースの位置識別情報に基づき、割り当てられたアップリンクリソース上でアップリンクメッセージを送る。
【００５１】
アップリンクメッセージは、少なくとも、ＵＥの一意の識別子（Identifier，ＩＤ）、例えば、一時的なモバイル加入者識別（Temporary  Mobile  Subscriber  Identity，ＴＭＳＩ）又はランダムＩＤを含むべきである。
【００５２】
Ｓ２４０．ネットワークデバイスは、ＵＥからアップリンクメッセージを受け、アクセスに成功するＵＥへ競合解除メッセージを返す。
【００５３】
競合解除メッセージは、少なくとも、アクセスに成功するＵＥの一意のＩＤ、ＴＭＳＩ、又はランダムＩＤを含む。
【００５４】
その上、ＵＥのＲＡＣＨ処理遅延、具体的に、ＵＥがＳ２２０及びＳ２３０でネットワークデバイスによって送られたランダムアクセスレスポンスを受信及び処理するのにかかる時間について、ＴＤＤに基づくＵＥに必要とされる遅延、及びＦＤＤに基づくＵＥに必要とされる遅延は、両方とも４ｍｓである。
【００５５】
Ｓ２１０で、ネットワークデバイスがＵＥからランダムアクセスプリアンブルを受信しなかった場合には、ランダムアクセスプリアンブルは、再度ネットワークデバイスへ送られる必要がある。先行技術では、ＵＥのためにネットワークデバイスによって設定されるＲＡＣＨリソース及びＵＥの電力調整パラメータは比較的簡単であるから、ＵＥのランダムアクセス効率は比較的低い。その上、ＵＥのランダムアクセスプロシージャにおいて、ＵＥが不適切なビームでランダムアクセスプリアンブルの送信電力を盲目的に増大させる場合に、隣接セルへの干渉が引き起こされる。
【００５６】
従って、本願は、ランダムアクセス方法を提供する。方法において、ネットワークデバイスは、ＵＥのためにランダムアクセス設定パラメータの少なくとも２つのグループを設定し、それにより、ＵＥは、ランダムアクセスを実行するために、実際の状況に基づき、ランダムアクセス設定パラメータの適切なグループを選択することができ、それによって、隣接セルへの干渉が低減され、アクセス効率が改善される。
【００５７】
図３は、本願の実施形態に従うランダムアクセス方法の略フローチャートである。
【００５８】
Ｓ３１０．ネットワークデバイスは、ランダムアクセス設定パラメータの少なくとも２つのグループをＵＥへ送る。
【００５９】
例えば、ランダムアクセス設定パラメータの各グループは、ランダムアクセスプリアンブルの最大送信量及び／又はランダムアクセスプリアンブルの再送のための電力調整ステップを含み得る。その上、ランダムアクセス設定パラメータの各グループは、ＲＡＣＨのプリアンブルフォーマット、ＲＡＣＨの受信電力、プリアンブルの長さ補正値、などを更に含んでもよい。
【００６０】
例えば、ネットワークデバイスは、システム情報又はブロードキャストメッセージを使用することによってランダムアクセス設定パラメータの少なくとも２つのグループをＵＥへ送ってよい。すなわち、システム情報又はブロードキャストメッセージは、ランダムアクセス設定パラメータの少なくとも２つのグループを含み得る。
【００６１】
例えば、システム情報が、物理共有チャネル又は物理ブロードキャストチャネルを通じてＵＥへ送られ、あるいは、ブロードキャストメッセージが、物理ブロードキャストチャネルを通じてＵＥへ送られる。
【００６２】
Ｓ３２０．ＵＥは、ＵＥの送信ビームの数量及び／又は閾値に基づきランダムアクセス設定パラメータの少なくとも２つのグループからランダムアクセス設定パラメータの１グループを選択する。
【００６３】
閾値は、ＵＥの送信ビームの数量の閾値であってよく、あるいは、ＵＥのＲＡＣＨリソースの数量であってよい。１つのＲＡＣＨリソースは、１つの時間−周波数リソース位置の閾値に対応する。１つ以上の閾値が存在してよい。
【００６４】
例えば、ＵＥは、ＵＥの送信ビームの数量に基づきランダムアクセス設定パラメータの１グループを選択し得る。
【００６５】
例えば、ＵＥは、ＵＥのＲＡＣＨリソースの数量の閾値に基づきランダムアクセス設定パラメータの１グループを選択し得る。
【００６６】
例えば、ＵＥは、ＵＥの送信ビームの数量の閾値に基づきランダムアクセス設定パラメータの１グループを選択し得る。
【００６７】
例えば、ＵＥは、ＵＥの送信ビームの数量と、ＵＥの送信ビームの数量の閾値とに基づき、ランダムアクセス設定パラメータの１グループを選択し得る。
【００６８】
上記は、本発明を理解するのを助けるための単なる例を示す。本発明は、上記の例を含むが、それらに限られない。閾値は、代替的に、チャネル品質又はネットワークデバイスの受信ビームの数量であってよいことが特に強調されるべきである。例えば、ＵＥは、異なるダウンリンク信号のチャネル品質の測定に基づき、ランダムアクセス設定パラメータの１グループを選択してよい。具体的に、ＵＥは、異なる送信ビームに対応するダウンリンク信号の測定を通じて得られるチャネル品質がチャネル品質閾値より高いか、又はそれより低いか、又は同等であるかどうかに応じて、ランダムアクセス設定パラメータの少なくとも２つのグループからランダムアクセス設定パラメータの１グループを選択する。例えば、異なる送信時のダウンリンク信号の夫々は、ランダムアクセス設定パラメータのあるグループに対応してよく、ＵＥは、チャネル品質がチャネル品質閾値よりも高いダウンリンク信号を複数のダウンリンク信号から選択することができ、選択されたダウンリンク信号がランダムアクセス設定パラメータの１グループに対応する。ダウンリンク信号は、同期信号、ブロードキャストチャネル、ブロードキャストチャネルの復調参照信号、などのうちの少なくとも１つであってよく、これは、本願のこの実施形態において制限されない。
【００６９】
Ｓ３３０．ＵＥは、選択されたランダムアクセス設定パラメータ内のランダムアクセスプリアンブルの最大送信量及びランダムアクセスプリアンブルの再送のための電力調整ステップに基づき、送信電力を決定する。
【００７０】
本願のこの実施形態において、ランダムアクセスプリアンブルの送信電力Ｐは、次の式：
P=min{Pmax,PL+P0,pre+deltapre+(Npre-1)dPrampup}      （１）
を満足する。
【００７１】
式（１）中、PLは、ダウンリンク信号の測定に基づきＵＥによって求められるチャネル伝播損失値であり、P0,preは、ネットワークデバイスが受信すると期待するプリアンブルの目標電力であり、ダイナミックレンジが［−１２０，−９０］ｄＢｍ（デシベルミリワット）であり、分解能が２ｄＢ（デシベル）であり、deltapreは、異なるランダムアクセスプリアンブルフォーマット又は長さについての補正値であり、Npreは、ＵＥによって送られるランダムアクセスプリアンブルの最大送信量であり、dPrampupは、ランダムアクセスプリアンブルの再送のための電力調整ステップであり、Pmaxは、ＵＥの最大送信電力である。
【００７２】
本願のこの実施形態において、ＵＥは、選択されたランダムアクセス設定パラメータ内のランダムアクセスプリアンブルの最大送信量及び／又はプリアンブルの再送のための電力調整ステップに基づき式（１）を使用することによって、ＵＥがランダムアクセスプリアンブルを送る送信電力を決定し得る。本願は、式（１）を使用することによって、ＵＥがランダムアクセスプリアンブルを送る送信電力を決定することに制限されないことが理解されるべきである。
【００７３】
例えば、式（１）中のランダムアクセスプリアンブルの最大送信量の値は、｛３，４，５，６，７，８，１０，２０，５０，１００，２００｝の中の任意の１つであってよく、ランダムアクセスプリアンブルの再送のための電力調整ステップは、｛０，２，４，６｝ｄＢの中の任意の１つであってよい。
【００７４】
Ｓ３４０．ＵＥは、その送信電力でネットワークデバイスへランダムアクセスプリアンブルを送る。
【００７５】
従って、本願のこの実施形態におけるランダムアクセス方法に従って、ネットワークデバイスは、ＵＥのためにランダムアクセス設定パラメータの少なくとも２つのグループを設定し、それにより、ＵＥは、ランダムアクセスを実行するために、実際の状況に基づき、ランダムアクセス設定パラメータの１つの適切なグループを選択することができ、例えば、ＵＥの送信ビームの数量が閾値よりも多い場合にランダムアクセスプリアンブルの最大送信量が最小であるランダムアクセス設定パラメータの１グループを選択し、それによって、隣接セルへの干渉が低減され、ネットワーク全体の全てのユーザのアクセス効率が改善される。
【００７６】
例えば、Ｓ３２０で、ＵＥは、次の方法の１つ又は組み合わせにおいて、ランダムアクセス設定パラメータの少なくとも２つのグループからランダムアクセス設定パラメータの１グループを選択し得る。
【００７７】
方法１
ＵＥは、ＵＥの送信ビームの数量が閾値よりも多いか、それよりも少ないか、又は等しいかに応じて、ランダムアクセス設定パラメータの少なくとも２つのグループからランダムアクセス設定パラメータの１グループを選択する。
【００７８】
例えば、ＵＥの送信ビームの数量が閾値よりも多い場合に、ＵＥは、ランダムアクセス設定パラメータの少なくとも２つのグループからランダムアクセス設定パラメータの第１グループを選択する。ランダムアクセス設定パラメータの第１グループ内のランダムアクセスプリアンブルの最大送信量は、ランダムアクセス設定パラメータの少なくとも２つのグループの中で最小であり、且つ／あるいは、ランダムアクセス設定パラメータの第１グループ内のランダムアクセスプリアンブルの再送のための電力調整ステップは、ランダムアクセス設定パラメータの少なくとも２つのグループの中で最大である。
【００７９】
閾値は少なくとも１つの閾値を含むことが理解されるべきである。複数の閾値が存在する場合に、ＵＥの送信ビームの数量が閾値よりも多いことは、ＵＥの送信ビームの数量が複数の閾値の中の任意の１つよりも多いこととして解釈され得る。
【００８０】
通常は、ユーザの受信及び送信ビームについて相反性はない。すなわち、ユーザの最適なダウンリンク受信ビームは、ユーザの最適な送信ビームと同等でない。従って、ユーザは、比較的多数の候補送信ビームに基づき最適な送信ビームのトレーニングを実行する必要がある。具体的に、ユーザの送信ビームが比較的多数存在する場合に、最適なビームのとり得る方向の事前の情報はないので、いくつかの不適切なビームが比較的多数の候補送信ビームの中に存在する可能性があり、これらの不適切なビームに基づく信号伝送は、隣接セルへの深刻な干渉を引き起こす可能性がある。
【００８１】
ＵＥの送信ビームの数量が閾値よりも多い場合に、ランダムアクセス中に、ユーザ機器は、初期送信電力で、全てのビームに対応するランダムアクセス信号を走査及びポーリングし得る。ランダムアクセスが最初のポーリングの終了時に不成功である場合に、ユーザが２回目のビーム走査を実行するとき、出力急昇が、各ビームに対応するランダムアクセス信号に対して順次に行われる。これらのビームには、いくつかの不適切なビームが存在する。例えば、あるビームに対応する現在のセルの受信信号は非常に弱いが、隣接セルへの比較的強い干渉を引き起こす。ＵＥがこれらの不適切なビームに対して複数回出力急昇を行う場合に、送信電力の比較的大きい上昇は、隣接セルへの干渉を引き起こす可能性がある。本願のこの実施形態では、ランダムアクセスプリアンブルの最小の最大送信量若しくはランダムアクセスプリアンブルの再送のための最大の電力調整ステップ又はその両方が選択され、それにより、ＵＥは、これらの不適切なビームに対する出力急昇を直ちに終了することができ、それによって、隣接セルへの干渉が低減される。
【００８２】
更に、前述の実施形態において、ランダムアクセス設定パラメータの第１グループ内のランダムアクセスプリアンブルの最大送信量及び／又はランダムアクセス設定パラメータの第１グループ内のプリアンブルの再送のための電力調整ステップは、他の様態でセットされてよい。例えば、ランダムアクセス設定パラメータの第１グループ内のランダムアクセスプリアンブルの最大送信量は、ランダムアクセス設定パラメータの少なくとも２つのグループの中で最小であり、且つ／あるいは、ランダムアクセス設定パラメータの第１グループ内のプリアンブルの再送のための電力調整ステップは、ランダムアクセス設定パラメータの少なくとも２つのグループの中で最小である。この設定は、ユーザが指向性アンテナを使用することによってランダムアクセスプリアンブルを送る（すなわち、送信ビームの数量が１以上である）シナリオに適用可能である。この場合に、上記の解析において記載されるように、ビーム方向の事前の情報は未だ入手されていないので、隣接するセルへの深刻な干渉を回避するために、ユーザ機器は、送信を実行するよう、ランダムアクセス設定パラメータの複数のグループから、ランダムアクセスプリアンブルの最大送信量が最小である、及び／又はプリアンブルの再送のための電力調整ステップが最小であるパラメータのグループを選択する必要がある。代替的に、
ランダムアクセス設定パラメータの第１グループ内のランダムアクセスプリアンブルの最大送信量は、ランダムアクセス設定パラメータの少なくとも２つのグループの中で最大であり、且つ／あるいは、ランダムアクセス設定パラメータの第１グループ内のプリアンブルの再送のための電力調整ステップは、ランダムアクセス設定パラメータの少なくとも２つのグループの中で最大である。これは、ここで制限されない。この設定は、ユーザが無指向性アンテナを使用することによってランダムアクセスプリアンブルを送る（すなわち、１つの送信ビームが存在する）シナリオに適用可能である。この場合に、ユーザのランダムアクセス成功率を改善するよう、ＵＥは、ユーザの高速アクセスを実施するよう、ランダムアクセス設定パラメータの複数のグループから、ランダムアクセスプリアンブルの最大送信量が最大である、且つ／あるいは、プリアンブルの再送のための電力調整ステップが最大であるパラメータのグループを選択し得る。
【００８３】
その上、ＵＥのランダムアクセスが継続的に失敗する場合に、ユーザの可能なランダムアクセス試行の数は、式：N_total=Nbeam×Npreを満足し、ここで、Nbeamは、ＵＥの送信ビームの数量であり、Npreは、ＵＥによって送られるランダムアクセスプリアンブルの最大送信量である。上記の式から、ユーザの各送信ビームでのランダムアクセスプリアンブルの最大送信量が最大である場合に、ＲＡＣＨ送信試行の数及びＲＡＣＨ送信遅延もそれに応じて増大し、それによって、ユーザのランダムアクセス遅延における対応する増大及びユーザのランダムアクセス処理複雑性の対応する増大を引き起こすことが分かる。ランダムアクセスプリアンブルの最小の最大送信量若しくはプリアンブルの再送のための最大の電力調整ステップ又はその両方が選択され、それにより、ユーザの可能なランダムアクセス試行の数はそれに応じて減り、それによって、ＵＥのＲＡＣＨ送信処理遅延が短縮される。
【００８４】
例えば、ＵＥの送信ビームの数量が閾値以下である場合に、ＵＥは、ランダムアクセス設定パラメータの少なくとも２つのグループからランダムアクセス設定パラメータの第２グループを選択し得る。ランダムアクセス設定パラメータの第２グループ内のランダムアクセスプリアンブルの最大送信量は、ランダムアクセス設定パラメータの少なくとも２つのグループの中で最大であり、且つ／あるいは、ランダムアクセス設定パラメータの第２グループ内のランダムアクセスプリアンブルの再送のための電力調整ステップは、ランダムアクセス設定パラメータの少なくとも２つのグループの中で最小である。
【００８５】
閾値は少なくとも１つの閾値を含むことが理解されるべきである。複数の閾値が存在する場合に、ＵＥの送信ビームの数量が閾値以下であることは、ＵＥの送信ビームの数量が複数の閾値の中の最小の閾値以下であることとして解釈され得る。
【００８６】
例えば、ユーザの送信ビームの数量が比較的少ない場合に、例えば、ユーザの送信ビームは、ユーザの送信ビーム方向の事前の情報に基づき、事前の情報は、ユーザが比較的少数の広幅ビームを使用することによって送信を実行するとき、又はユーザの受信及び送信ビームについて相反性があるとき、送信信号方向に関するユーザ機器の推定情報であってよい。この場合に、ユーザの送信ビームは、だいたいネットワークデバイスとアライメントされ、従って、ランダムアクセス設定パラメータの第２グループが選択され得る。ランダムアクセス設定パラメータの第２グループ内で、ランダムアクセスプリアンブルの最大送信量は最大であり、且つ／あるいは、ランダムアクセスプリアンブルの再送のための電力調整ステップは最小である。上記の解析から、ＵＥは、より正確な指向性ビームで比較的多い回数でランダムアクセスを実行し、従って、ＵＥのランダムアクセス成功率は比較的高いことが分かる。
【００８７】
ランダムアクセス設定パラメータの第２グループ内のランダムアクセスプリアンブルの最大送信量及び／又はランダムアクセス設定パラメータの第２グループ内のプリアンブルの再送のための電力調整ステップは、代替的に、他の様態でセットされてよい。
【００８８】
例えば、ランダムアクセス設定パラメータの第２グループ内のランダムアクセスプリアンブルの最大送信量は、ランダムアクセス設定パラメータの少なくとも２つのグループの中で最小であり、且つ／あるいは、ランダムアクセス設定パラメータの第２グループ内のプリアンブルの再送のための電力調整ステップは、ランダムアクセス設定パラメータの少なくとも２つのグループの中で最大である。この設定は、ユーザが指向性アンテナを使用することによってランダムアクセスプリアンブルを送る（すなわち、送信ビームの数量が１以上である）シナリオに適用可能である。この場合に、上記の解析において記載されるように、比較的望ましいビームフォーミング利得が得られるので、アクセスを成功させるために、ユーザ機器は、送信を実行するよう、ランダムアクセス設定パラメータの複数のグループから、ランダムアクセスプリアンブルの最大送信量が最小である、及び／又はプリアンブルの再送のための電力調整ステップが最大であるパラメータのグループを選択しさえすればよい。代替的に、
ランダムアクセス設定パラメータの第２グループ内のランダムアクセスプリアンブルの最大送信量は、ランダムアクセス設定パラメータの少なくとも２つのグループの中で最小であり、且つ／あるいは、ランダムアクセス設定パラメータの第２グループ内のプリアンブルの再送のための電力調整ステップは、ランダムアクセス設定パラメータの少なくとも２つのグループの中で最小である。この設定は、ユーザが指向性アンテナを使用することによってランダムアクセスプリアンブルを送る（すなわち、送信ビームの数量が１以上である）シナリオに適用可能である。この場合に、上記の解析において記載されるように、比較的望ましいビームフォーミング利得が得られるので、アクセスを成功させるために、ユーザ機器は、送信を実行するよう、ランダムアクセス設定パラメータの複数のグループから、ランダムアクセスプリアンブルの最大送信量が最小である、及び／又はプリアンブルの再送のための電力調整ステップが最小であるパラメータのグループを選択しさえすればよい。これは、ここで制限されない。
【００８９】
方法２
ＵＥは、ＵＥの送信ビームの数量とランダムアクセス設定パラメータの各グループとの間の対応に基づき、ランダムアクセス設定パラメータの少なくとも２つのグループからランダムアクセス設定パラメータの１グループを選択する。
【００９０】
具体的に、ＵＥは、ＵＥの送信ビームの数量とランダムアクセス設定パラメータのグループとの間の対応を事前に記憶してよい。対応は、システムによって前もって定義されるか、あるいは、ネットワークデバイスによって設定され得る。ＵＥは、送信ビームの実際の数及び対応に基づき、ランダムアクセス設定パラメータの１グループを選択し得る。
【００９１】
例えば、ネットワークデバイスは、ＵＥのためにランダムアクセス設定パラメータの４グループを設定してよい。ＵＥの送信ビームの数量とランダムアクセス設定パラメータのグループとの間の、ＵＥによって記憶される対応は、表１に示され得る。
【表１】
0006934525.tif 000002
【００９２】
表１に示されるように、ＵＥの送信ビームの数量が１であるとき、ＵＥは、ランダムアクセス設定パラメータの第１グループを選択することができ、あるいは、ＵＥの送信ビームの数量が２以上５以下であるとき、ＵＥは、ランダムアクセス設定パラメータの第２グループを選択することができ、あるいは、ＵＥの送信ビームの数量が６以上１０以下であるとき、ＵＥは、ランダムアクセス設定パラメータの第３グループを選択することができ、あるいは、ＵＥの送信ビームの数量が１１以上であるとき、ＵＥは、ランダムアクセス設定パラメータの第４グループを選択することができる。
【００９３】
ランダムアクセス設定パラメータの上記の４グループの場合に、ランダムアクセスプリアンブルの最大送信量は、第１グループから第４グループへと減少し、且つ／あるいは、ランダムアクセスプリアンブルの再送のための電力調整ステップは、第１グループから第４グループへと増大する。このようにして、方法１の解析から、ＵＥは、即座のアクセスを実施することができ、隣接セルへの干渉は、ＵＥのアクセス中に低減され得ることが分かる。
【００９４】
表１は、ＵＥの送信ビームの数量とランダムアクセス設定パラメータのグループとの間の対応の具体的な実施形態にすぎず、ＵＥの送信ビームの数量とランダムアクセス設定パラメータのグループとの間の対応は、他の形であってもよいことが理解されるべきである。これは、本願のこの実施形態において特に制限されない。例えば、１からユーザの送信ビームの最大量に及ぶ、ユーザの送信ビームの数量の各値は、ランダムアクセス設定パラメータの１グループに対応する。例えば、ユーザの送信ビームの最大量が１５であるとき、ユーザの送信ビームの数量の値の組｛１，２，・・・，１４，１５｝は、ランダムアクセス設定パラメータの１５グループに対応する。
【００９５】
方法３
ＵＥは、少なくとも１つの閾値とランダムアクセス設定パラメータの各グループとの間の対応に基づき、ランダムアクセス設定パラメータの少なくとも２つのグループからランダムアクセス設定パラメータの１グループを選択する。
【００９６】
具体的に、閾値は、ランダムアクセスリソースの数量、又はユーザ機器の送信ビームの数量、又はネットワークデバイスの受信ビームの数量の中の少なくとも１つであってよい。例えば、各ランダムアクセスリソースは、ＵＥの１つの送信ビームに対応する。ＵＥは、閾値とランダムアクセス設定パラメータのグループとの間の対応を事前に記憶してよい。閾値を使用することによって表される対応は、システムによって前もって定義されるか、あるいは、ネットワークデバイスによって設定され得る。ＵＥは、ランダムアクセスリソースの数量及び対応に基づき、ランダムアクセス設定パラメータの１グループを選択し得る。
【００９７】
例えば、ネットワークデバイスは、ＵＥのためにランダムアクセス設定の３グループを設定してよい。ＵＥのランダムアクセスリソースの数量とランダムアクセス設定パラメータのグループとの間の、ＵＥによって記憶される対応は、表２に示され得る。
【表２】
0006934525.tif 000003
【００９８】
表２に示されるように、ＵＥのランダムアクセスリソースの数量が１であるとき、ＵＥは、ランダムアクセス設定パラメータの第１グループを選択することができ、あるいは、ＵＥのランダムアクセスリソースの数量が２以上８以下であるとき、ＵＥは、ランダムアクセス設定パラメータの第２グループを選択することができ、あるいは、ＵＥのランダムアクセスリソースの数量が９以上であるとき、ＵＥは、ランダムアクセス設定パラメータの第３グループを選択することができる。ここで、１、２、８、及び９は、ランダムアクセスリソースの数量を使用することによって表されるいくつかの閾値である。
【００９９】
ランダムアクセス設定パラメータの上記の３グループの場合に、ランダムアクセスプリアンブルの最大送信量は、第１グループから第３グループへと減少し、且つ／あるいは、ランダムアクセスプリアンブルの再送のための電力調整ステップは、第１グループから第３グループへと増大する。このようにして、上記の解析から、ＵＥは、即座のアクセスを実施することができ、隣接セルへの干渉は、ＵＥのアクセス中に低減され得ることが分かる。
【０１００】
図４は、本願の他の実施形態に従うランダムアクセス方法の略フローチャートである。
【０１０１】
Ｓ４１０．ネットワークデバイスは、第１リソース設定情報をユーザ機器（ＵＥ）へ送る。
【０１０２】
具体的に、第１リソース設定情報は、ＵＥのためにネットワークデバイスによって設定されたＮ個の候補ランダムアクセスチャネル（ＲＡＣＨ）リソースを示すために使用され、ここで、Ｎ≧２であり、各候補ＲＡＣＨリソースは１つの時間−周波数リソース位置に対応する。
【０１０３】
例えば、ネットワークデバイスは、システム情報を使用することによって、第１リソース設定情報をＵＥへ送ってよい。すなわち、ネットワークデバイスによって送られるシステム情報は、第１リソース設定情報を含んでよい。
【０１０４】
例えば、ネットワークデバイスは、ブロードキャスト情報を使用することによって、第１リソース設定情報をＵＥへ送ってよい。すなわち、ネットワークデバイスによって送られるブロードキャスト情報は、第１リソース設定情報を含んでよい。
【０１０５】
例えば、第１リソース設定情報は、ＲＡＣＨの時間領域リソース位置指示、ＲＡＣＨの周波数領域リソース位置指示、ＲＡＣＨのランダムアクセスプリアンブルのフォーマット、などの中の少なくとも１つを含んでよい。
【０１０６】
例えば、Ｎ個の候補ＲＡＣＨリソースは、ネットワークデバイスの受信ビームに基づきネットワークデバイスによって決定されてよく、各候補ＲＡＣＨリソースは、ネットワークデバイスの１つの受信ビームに対応してよい。
【０１０７】
例えば、Ｎ個の候補ＲＡＣＨリソースは、Ｎ個のランダムアクセスプリアンブルに対応し、Ｎ個のランダムアクセスプリアンブルは、複数の送信ビームでＵＥによって送信されるランダムアクセスプリアンブルであってよい。すなわち、各候補ＲＡＣＨリソースは、ＵＥの１つの送信ビームに対応する。
【０１０８】
Ｓ４２０．ＵＥは、第１リソース設定情報によって示されたＮ個の候補ＲＡＣＨリソース上でランダムアクセスプリアンブルをネットワークデバイスへ送る。
【０１０９】
ユーザが、Ｎ個の候補ＲＡＣＨリソースの中の第１候補ＲＡＣＨリソース上でランダムアクセスプリアンブルを送った後に、フィードバックを得ていない場合に、ＵＥは、ランダムアクセスプリアンブルを送るために、Ｎ個の候補ＲＡＣＨリソースの中の他の候補ＲＡＣＨリソースへ切り替えることができる。ユーザが依然として如何なるフィードバックを得ていない場合に、ＵＥは、ランダムアクセスプリアンブルを送るために、次の候補ＲＡＣＨリソースへ再び切り替える。
【０１１０】
Ｓ４３０．ネットワークデバイスは、第２リソース設定情報をＵＥへ送り、ここで、第２リソース設定情報は、対象ＲＡＣＨリソースの識別情報を含み、対象ＲＡＣＨリソースは、Ｎ個の候補ＲＡＣＨリソースの中の１つである。
【０１１１】
Ｓ４２０で、ＵＥがＮ個の候補ＲＡＣＨリソース上でのランダムアクセスプリアンブルの一連の送信を終了した後、ネットワークデバイスは、Ｎ個の候補ＲＡＣＨリソースから、比較的望ましい候補ＲＡＣＨリソースを対象ＲＡＣＨリソースとして選択し、ＵＥのための対象ＲＡＣＨリソースの識別情報を設定し得る。例えば、Ｎ個の候補ＲＡＣＨリソース上で受信されるランダムアクセスプリアンブルの受信電力及び受信品質のような測定インジケータの少なくとも１つに基づき、ネットワークデバイスは、受信信号電力が比較的高いか、あるいは、受信信号品質が比較的良いランダムアクセスプリアンブルに対応するＲＡＣＨリソースを、ＵＥのために設定されるべき対象ＲＡＣＨリソースとして選択し得る。ネットワークデバイスは、Ｓ４１０でＲＡＣＨリソースの特定の設定情報をＵＥへ既に送っているので、ネットワークデバイスは、対象ＲＡＣＨリソースの識別情報のみをＵＥへ送ればよい。識別情報を受け取ると、ＵＥは、識別情報によって識別される対象ＲＡＣＨリソースを決定することができる。
【０１１２】
例えば、ネットワークデバイスは、ＲＡＣＨスケジューリング情報を送ることによってＵＥへ第２リソース設定情報を送ってよい。すなわち、ＵＥへネットワークデバイスによって送られるＲＡＣＨスケジューリング情報は、第２リソース設定情報を含んでよい。ＲＡＣＨスケジューリング情報は、物理ダウンリンク制御チャネルを通じてＵＥへ送られる。
【０１１３】
Ｓ４４０．ＵＥは、識別情報によって識別された対象ＲＡＣＨリソース上でランダムアクセスプリアンブルをネットワークデバイスへ送る。
【０１１４】
従って、本願のこの実施形態におけるランダムアクセス方法に従って、ネットワークデバイスは、ネットワークデバイスによって設定されるＮ個の候補ＲＡＣＨリソース上でＵＥによって送信されたランダムアクセスプリアンブルに基づき、Ｎ個の候補ＲＡＣＨリソースから比較的望ましいリソースを選択し、その比較的望ましいリソースをＵＥのために設定することができ、それにより、ＵＥは、次のランダムアクセス中にＲＡＣＨリソースを使用することができ、それによって、ＵＥのランダムアクセスの成功率を改善しながら、隣接セルへの干渉が低減される。
【０１１５】
例えば、本願の実施形態において、第１リソース設定情報又はＲＡＣＨスケジューリング情報は、ＵＥのためにネットワークデバイスによって設定されるランダムアクセスプリアンブルの最大送信量若しくはプリアンブルの再送のための電力調整ステップ又はその両方を更に含んでよい。
【０１１６】
具体的に、第１リソース設定情報又はＲＡＣＨスケジューリング情報に基づきランダムアクセスを実行する場合に、ＵＥは、ランダムアクセスプリアンブルの最大送信量及び／又はプリアンブルの再送のための電力調整ステップに基づき、ランダムアクセスプリアンブルを送るための送信電力を決定し得る。その上、ランダムアクセスプリアンブルの最大送信量及び／又はプリアンブルの再送のための電力調整ステップは、代替的に、ネットワークデバイスによって事前設定されてよく、ＵＥは、ランダムアクセスプリアンブルの事前設定された最大送信量及び／又はプリアンブルの再送のための事前設定された電力調整ステップに基づき、ＵＥがランダムアクセスプリアンブルを送る送信電力を決定し得る。例えば、ＵＥは、式（１）に従って、ランダムアクセスプリアンブルを送るための送信電力を決定することができ、次いで、ＵＥは、決定された送信電力に基づき、対象ＲＡＣＨリソース上でランダムアクセスプリアンブルを送信し得る。
【０１１７】
ネットワークデバイスは更に、ＵＥのために、ＲＡＣＨのプリアンブルフォーマット、ＲＡＣＨの受信電力、及びプリアンブルのフォーマット又は長さ補正値のようなパラメータの少なくとも１つを事前設定し得ることが理解されるべきである。
【０１１８】
本願の実施形態に従って、図３及び図４を参照して、ランダムアクセス方法が詳細に上述されている。以下は、図５乃至図８を参照して詳細に、本願の実施形態に従うランダムアクセスデバイスについて記載する。ランダムアクセスデバイスは、ユーザ機器（ＵＥ）及びネットワークデバイスを含む。
【０１１９】
図５は、本願の実施形態に従うユーザ機器（ＵＥ）５００の略ブロック図である。図５に示されるように、ユーザ機器（ＵＥ）５００は、受信ユニット５１０、処理ユニット５２０、及び送信ユニット５３０を含む。
【０１２０】
受信ユニット５１０は、ネットワークデバイスによって送られたランダムアクセス設定パラメータの少なくとも２つのグループを受けるよう構成され、ここで、ランダムアクセス設定パラメータの各グループは、ランダムアクセスプリアンブルの最大送信量及び／又はランダムアクセスプリアンブルの再送のための電力調整ステップを含む。
【０１２１】
処理ユニット５２０は、受信ユニット５１０によって受信されるＵＥの送信ビームの数量若しくは閾値又はその両方に基づき、ランダムアクセス設定パラメータの少なくとも２つのグループからランダムアクセス設定パラメータの１グループを選択し、その選択されたランダムアクセス設定パラメータ内のランダムアクセスプリアンブルの最大送信量及び／又はランダムアクセスプリアンブルの再送のための電力調整ステップに基づき、ランダムアクセスプリアンブルの送信電力を決定するよう構成される。
【０１２２】
送信ユニット５３０は、処理ユニット５２０によって決定された送信電力でランダムアクセスプリアンブルをネットワークデバイスへ送るよう構成される。
【０１２３】
例えば、処理ユニット５２０は、
ＵＥの送信ビームの数量が閾値よりも多い場合に、ランダムアクセス設定パラメータの少なくとも２つのグループからランダムアクセス設定パラメータの第１グループを選択し、ランダムアクセス設定パラメータの第１グループ内のランダムアクセスプリアンブルの最大送信量は、ランダムアクセス設定パラメータの少なくとも２つのグループの中で最小であり、且つ／あるいは、ランダムアクセス設定パラメータの第１グループ内のランダムアクセスプリアンブルの再送のための電力調整ステップは、ランダムアクセス設定パラメータの少なくとも２つのグループの中で最大である、よう、且つ／あるいは、
ＵＥの送信ビームの数量が閾値以下である場合に、ランダムアクセス設定パラメータの少なくとも２つのグループからランダムアクセス設定パラメータの第２グループを選択し、ランダムアクセス設定パラメータの第２グループ内のランダムアクセスプリアンブルの最大送信量は、ランダムアクセス設定パラメータの少なくとも２つのグループの中で最大であり、且つ／あるいは、ランダムアクセス設定パラメータの第２グループ内のランダムアクセスプリアンブルの再送のための電力調整ステップは、ランダムアクセス設定パラメータの少なくとも２つのグループの中で最小である、よう
特に構成される。
【０１２４】
例えば、処理ユニット５２０は、ＵＥの送信ビームの数量とランダムアクセス設定パラメータの各グループとの間の対応に基づき、ランダムアクセス設定パラメータの少なくとも２つのグループからランダムアクセス設定パラメータの１グループを選択するよう特に構成される。
【０１２５】
例えば、処理ユニット５２０は、閾値が少なくとも１つの閾値を有する場合に、
少なくとも１つの閾値とランダムアクセス設定パラメータの各グループとの間の対応に基づき、ランダムアクセス設定パラメータの少なくとも２つのグループからランダムアクセス設定パラメータの１グループを選択するよう、あるいは、
少なくとも１つの閾値と、送信ビームの数量と、ランダムアクセス設定パラメータの各グループとの間の対応に基づき、ランダムアクセス設定パラメータの少なくとも２つのグループからランダムアクセス設定パラメータの１グループを選択するよう
特に構成される。
【０１２６】
例えば、受信ユニット５１０は、
ネットワークデバイスによって送られたシステム情報を受け、システム情報が、ランダムアクセス設定パラメータの少なくとも２つのグループを含む、よう、あるいは、
ネットワークデバイスによって送られたブロードキャストメッセージを受け、ブロードキャストメッセージが、前記ランダムアクセス設定パラメータの少なくとも２つのグループを含む、よう
特に構成される。
【０１２７】
例えば、システム情報は閾値を更に含み、あるいは、ブロードキャストメッセージは、閾値を更に含む。
【０１２８】
受信ユニット５１０は受信器によって実施されてよく、処理ユニット５２０はプロセッサによって実施されてよく、送信ユニット５３０は送信器によって実施されてよいことが理解されるべきである。
【０１２９】
ユーザ機器（ＵＥ）５００は、前述の方法で記載されたＵＥに対応してよく、ユーザ機器（ＵＥ）５００の各モジュール又はユニットは、図３に示される方法実施形態でＵＥによって実行される各動作又はプロセスを実行するよう構成されることが更に理解されるべきである。ここで、繰り返しを回避すべく、それらの詳細な説明は省略される。
【０１３０】
図６は、本願の実施形態に従うネットワークデバイス６００の略ブロック図である。図６に示されるように、ネットワークデバイス６００は、送信ユニット６１０及び受信ユニット６２０を含む。
【０１３１】
送信ユニット６１０は、ランダムアクセス設定パラメータの少なくとも２つのグループをユーザ機器（ＵＥ）へ送るよう構成され、ここで、ランダムアクセス設定パラメータは、ランダムアクセスプリアンブルの最大送信量及び／又はランダムアクセスプリアンブルの再送のための電力調整ステップを含む。
【０１３２】
受信ユニット６２０は、ＵＥがランダムアクセス設定パラメータの少なくとも２つのグループからランダムアクセス設定パラメータの１グループを選択した後に、ＵＥによって送られたランダムアクセスプリアンブルを受けるよう構成され、ここで、ランダムアクセスプリアンブルの送信電力は、選択されたランダムアクセス設定パラメータ内のランダムアクセスプリアンブルの最大送信量及び／又はランダムアクセスプリアンブルの再送のための電力調整ステップに基づきＵＥによって決定される。
【０１３３】
例えば、送信ユニット６１０は、
システム情報をＵＥへ送り、システム情報が、ランダムアクセス設定パラメータの少なくとも２つのグループを含む、よう、あるいは、
ブロードキャストメッセージをＵＥへ送り、ブロードキャストメッセージが、ランダムアクセス設定パラメータの少なくとも２つのグループを含む、よう
特に構成される。
【０１３４】
例えば、システム情報が閾値を更に含み、あるいは、ブロードキャストメッセージが閾値を更に含み、閾値は、ＵＥによって、ランダムアクセス設定パラメータの少なくとも２つのグループからランダムアクセス設定パラメータの１グループを選択するために使用される。
【０１３５】
送信ユニット６１０は送信器によって実施されてよく、受信ユニット６２０は受信器によって実施されてよいことが理解されるべきである。
【０１３６】
ネットワークデバイス６００は、前述の方法で記載されたネットワークデバイスに対応してよく、ネットワークデバイス６００の各モジュール又はユニットは、図３に示される方法実施形態でネットワークデバイスによって実行される各動作又はプロセスを実行するよう構成されることが更に理解されるべきである。ここで、繰り返しを回避すべく、それらの詳細な説明は省略される。
【０１３７】
図７は、本願の他の実施形態に従うユーザ機器（ＵＥ）７００の略ブロック図である。図７に示されるように、ユーザ機器（ＵＥ）７００は、受信ユニット７１０及び送信ユニット７２０を含む。
【０１３８】
受信ユニット７１０は、ネットワークデバイスによって送られた第１リソース設定情報を受けるよう構成され、ここで、第１リソース設定情報は、ＵＥのためにネットワークデバイスによって設定されたＮ個の候補ランダムアクセスチャネル（ＲＡＣＨ）リソースを示すために使用され、Ｎ≧２である。
【０１３９】
送信ユニット７２０は、受信ユニット７１０によって受信される第１リソース設定情報によって示されたＮ個の候補ＲＡＣＨリソース上でランダムアクセスプリアンブルをネットワークデバイスへ送るよう構成される。
【０１４０】
受信ユニット７１０は、ネットワークデバイスによって送られた第２リソース設定情報を受けるよう更に構成され、ここで、第２リソース設定情報は、対象ＲＡＣＨリソースを識別する識別情報を含み、対象ＲＡＣＨリソースは、Ｎ個の候補ＲＡＣＨリソースの中の１つである。
【０１４１】
送信ユニット７２０は、識別情報によって識別された対象ＲＡＣＨリソース上でランダムアクセスプリアンブルをネットワークデバイスへ送るよう更に構成される。
【０１４２】
例えば、受信ユニット７１０は、
ネットワークデバイスによって送られたシステム情報を受け、システム情報が第１リソース設定情報を含む、よう、あるいは、
ネットワークデバイスによって送られたブロードキャスト情報を受け、ブロードキャスト情報が第１リソース設定情報を含む、よう
特に構成される。
【０１４３】
例えば、受信ユニット７１０は、ネットワークデバイスによって送られたＲＡＣＨスケジューリング情報を受けるよう特に構成され、ここで、ＲＡＣＨスケジューリング情報は、識別情報を含む。
【０１４４】
例えば、第１リソース設定情報は、ＵＥのためにネットワークデバイスによって設定されるランダムアクセスプリアンブルの最大送信量若しくはランダムアクセスプリアンブルの再送のための電力調整ステップ又はその両方を更に含む。
【０１４５】
例えば、Ｎ個の候補ＲＡＣＨリソースの夫々は、ネットワークデバイスの１つの受信ビームに対応する。
【０１４６】
受信ユニット７１０は受信器によって実施されてよく、送信ユニット７２０は送信器によって実施されてよいことが理解されるべきである。
【０１４７】
ユーザ機器（ＵＥ）７００は、前述の方法で記載されたＵＥに対応してよく、ユーザ機器（ＵＥ）７００の各モジュール又はユニットは、図４に示される方法実施形態でＵＥによって実行される各動作又はプロセスを実行するよう構成されることが更に理解されるべきである。ここで、繰り返しを回避すべく、それらの詳細な説明は省略される。
【０１４８】
図８は、本願の実施形態に従うネットワークデバイス８００の略ブロック図である。図８に示されるように、ネットワークデバイス８００は、送信ユニット８１０及び受信ユニット８２０を含む。
【０１４９】
送信ユニット８１０は、第１リソース設定情報をユーザ機器（ＵＥ）へ送るよう構成され、ここで、第１リソース設定情報は、ＵＥのためにネットワークデバイスによって設定されたＮ個の候補ランダムアクセスチャネル（ＲＡＣＨ）リソースを示すために使用され、Ｎ≧２である。
【０１５０】
受信ユニット８２０は、第１リソース設定情報によって示されるＮ個の候補ＲＡＣＨリソース上でＵＥによって送られたランダムアクセスプリアンブルを受けるよう構成される。
【０１５１】
送信ユニット８１０は、第２リソース設定情報をＵＥへ送るよう更に構成され、ここで、第２リソース設定情報は、対象ＲＡＣＨリソースを識別する識別情報を含み、対象ＲＡＣＨリソースは、Ｎ個の候補ＲＡＣＨリソースの中の１つである。
【０１５２】
例えば、送信ユニット８１０は、
システム情報をＵＥへ送り、システム情報が第１リソース設定情報を含む、よう、あるいは、
ブロードキャスト情報をＵＥへ送り、ブロードキャスト情報が第１リソース設定情報を含む、よう
特に構成される。
【０１５３】
例えば、送信ユニット８１０は、ＲＡＣＨスケジューリング情報をＵＥへ送るよう特に構成され、ここで、ＲＡＣＨスケジューリング情報は、第２リソース設定情報を含む。
【０１５４】
例えば、第１リソース設定情報は、ＵＥのためにネットワークデバイスによって設定されるランダムアクセスプリアンブルの最大送信量若しくはランダムアクセスプリアンブルの再送のための電力調整ステップ又はその両方を更に含む。
【０１５５】
例えば、Ｎ個の候補ＲＡＣＨリソースの夫々は、ネットワークデバイスの１つの受信ビームに対応する。
【０１５６】
送信ユニット８１０は送信器によって実施されてよく、受信ユニット８２０は受信器によって実施されてよいことが理解されるべきである。
【０１５７】
ネットワークデバイス８００は、前述の方法で記載されたネットワークデバイスに対応してよく、ネットワークデバイス８００の各モジュール又はユニットは、図４に示される方法実施形態でネットワークデバイスによって実行される各動作又はプロセスを実行するよう構成されることが更に理解されるべきである。ここで、繰り返しを回避すべく、それらの詳細な説明は省略される。
【０１５８】
本願の実施形態は、プロセッサに適用されるか、あるいは、プロセッサによって実施されてよい。プロセッサは、集積回路チップであってよく、信号処理能力を有する。実施中、前述の方法実施形態におけるステップは、プロセッサ内のハードウェアの集積論理回路によって、又はソフトウェア形式の命令を使用することによって、完了されてよい。プロセッサは、中央演算処理装置（Central  Processing  Unit，ＣＰＵ）であってよく、あるいは、他の汎用プロセッサ、デジタル信号プロセッサ（Digital  Signal  Processor，ＤＳＰ）、特定用途向け集積回路（Application  Specific  Integrated  Circuit，ＡＳＩＣ）、フィールド・プログラマブル・ゲート・アレイ（Field  Programmable  Gate  Array，ＦＰＧＡ）若しくは他のプログラム可能な論理デバイス、ディスクリートゲート若しくはトランジスタ論理デバイス、又はディスクリートハードウェア部品であって、本願の実施形態で開示される方法、ステップ、論理ブロック図を実施又は実行することが可能である。汎用プロセッサはマイクロプロセッサであってよく、あるいは、プロセッサは如何なる従来のプロセッサなどであってもよい。本願の実施形態で開示される方法のステップは、ハードウェア復号化プロセッサによって直接実行されるか、あるいは、復号化プロセッサのハードウェアとソフトウェアユニットとの組み合わせによって実行されてよい。ソフトウェアユニットは、ランダム・アクセス・メモリ、フラッシュ・メモリ、リード・オンリー・メモリ、プログラム可能なリード・オンリー・メモリ、電気的消去可能なプログラム可能メモリ、又はレジスタのような、当該技術における成熟した記憶媒体に配置されてよい。記憶媒体は、メモリに配置されてよく、プロセッサは、メモリ内の情報を読み出し、プロセッサのハードウェアと組み合わせて上記の方法におけるステップを完了する。
【０１５９】
本願の実施形態におけるメモリは、揮発性メモリ又は不揮発性メモリであってよく、あるいは、揮発性メモリ及び不揮発性メモリの両方を含んでよいことが更に理解されるべきである。不揮発性メモリは、リード・オンリー・メモリ（Read-Only  Memory，ＲＯＭ）、プログラム可能なリード・オンリー・メモリ（Programmable  ROM，ＰＲＯＭ）、消去可能なプログラム可能リード・オンリー・メモリ（Erasable  PROM，ＥＰＲＯＭ）、電気的消去可能なプログラム可能リード・オンリー・メモリ（Electrically  EPROM，ＥＥＰＲＯＭ）、又はフラッシュ・メモリであってよい。揮発性メモリは、外部キャッシュとして使用されるランダム・アクセス・メモリ（Random  Access  Memory，ＲＡＭ）であってよい。例として、しかし制限なしに、多くの形態のＲＡＭが使用されてよく、例えば：静的ランダム・アクセス・メモリ（Static  RAM，ＳＲＡＭ）、動的ランダム・アクセス・メモリ（Dynamic  RAM，ＤＲＡＭ）、同期型動的ランダム・アクセス・メモリ（Synchronous  DRAM，ＳＤＲＡＭ）、ダブル・データ・レート同期型動的ランダム・アクセス・メモリ（Double  Data  Rate  SDRAM，ＤＤＲ  ＳＤＲＡＭ）、拡張同期型動的ランダム・アクセス・メモリ（Enhanced  SDRAM，ＥＳＤＲＡＭ）、同期リンク動的ランダム・アクセス・メモリ（Synchronous Link  DRAM，ＳＬＤＲＡＭ）、及び直接ラムバス動的ランダム・アクセス・メモリ（Direct  Rambus  DRAM，ＤＲ  ＤＲＡＭ）。本明細書で記載されるシステム及び方法のメモリは、他の適切なタイプのこれら及びあらゆるメモリを含むが、それらに制限されないことが留意されるべきである。
【０１６０】
上記のプロセスの連番は、本願の実施形態における実行順序を意味しないことが理解されるべきである。プロセスの実行順序は、プロセスの内部ロジック及び機能に従って決定されるべきであり、本願の実施形態における実施プロセスに対する如何なる制限としても解釈されるべきではない。
【０１６１】
実施中、上記の方法における様々なステップは、プロセッサ内のハードウェアの集積論理回路によって、又はソフトウェア形式の命令を使用することによって、完了されてよい。本願の実施形態を参照して開示されるランダムアクセス方法のステップは、ハードウェアプロセッサによって直接実行されてよく、あるいは、プロセッサ内のハードウェアとソフトウェアユニットとの組み合わせによって実行されてよい。ソフトウェアユニットは、ランダム・アクセス・メモリ、フラッシュ・メモリ、リード・オンリー・メモリ、プログラム可能なリード・オンリー・メモリ、電気的消去可能なプログラム可能メモリ、又はレジスタのような、当該技術における成熟した記憶媒体に配置されてよい。記憶媒体は、メモリに配置されてよく、プロセッサは、メモリ内の情報を読み出し、プロセッサのハードウェアと組み合わせて上記の方法におけるステップを完了する。繰り返しを回避すべく、詳細は、再度ここで記載されない。
【０１６２】
当業者は、本明細書で開示される実施形態で記載される例と組み合わせて、ユニット及びアルゴリズムステップが電子ハードウェア又はコンピュータソフトウェアと電子ハードウェアとの組み合わせによって実施されてよいと気付き得る。機能がハードウェア又はソフトウェアによって実行されるかどうかは、技術的解決法の設計制約条件及び特定の用途に依存する。当業者は、夫々の特定の用途について、記載されている機能を実施するために、異なる方法を使用してよいが、実施が本願の適用範囲を超えることは考えられるべきではない。
【０１６３】
便宜上及び簡潔な記載のために、上記のシステム、装置、及びユニットの詳細な作動プロセスについては、上記の方法実施形態における対応するプロセスが参照されてよく、詳細は、再度ここで記載されないことが当業者によって明りょうに理解され得る。
【０１６４】
本願で与えられるいくつかの実施形態で、開示されるシステム、装置、及び方法は、他の様態で実施されてよいことが理解されるべきである。例えば、記載される装置実施形態は、一例にすぎない。例えば、ユニット分割は、単に、論理的な機能分割であり、実際の実施では他の分割様態があり得る。例えば、複数のユニット又はコンポーネントは、他のシステムに結合又は一体化されてよく、あるいは、いくつかの機能は、無視されるか又は実行されなくてよい。その上、表示又は議論される相互結合又は直接的な結合若しくは通信接続は、いくつかのインターフェイスを使用することによって実施されてよい。装置又はユニット間の間接的な結合又は通信接続は、電子的な、機械的な、又は他の形態で実施されてよい。
【０１６５】
別個の部分として記載されるユニットは、物理的に別個であっても又はなくてもよく、ユニットとして表示される部分は、物理ユニットであっても又はなくてもよく、すなわち、一個所に配置されてよく、あるいは、複数のネットワークユニットに分配されてよい。ユニットの一部又は全ては、実施形態の解決法の目的を達成するよう、実際の要件に基づき選択され得る。
【０１６６】
その上、本願の実施形態における機能ユニットは、１つの処理ユニットに一体化されてよく、あるいは、ユニットの夫々は、物理的に単独で存在してよく、あるいは、２つ以上のユニットが１つのユニットに一体化されてよい。
【０１６７】
機能がソフトウェア機能ユニットの形で実施され、独立した製品として販売又は使用される場合に、機能は、コンピュータ可読記憶媒体に記憶されてよい。かような理解に基づき、本願の技術的解決法は本質的に、又は先行技術に寄与する部分、又は技術的解決法のいくつかは、ソフトウェア製品の形で実施されてよい。コンピュータソフトウェア製品は、記憶媒体に記憶され、コンピュータ装置（パーソナル・コンピュータ、サーバ、ネットワークデバイス、などであってよい。）に、本願の実施形態で記載される方法のステップの全部又は一部を実行するよう指示するいくつかの命令を含む。上記の記憶媒体は、ＵＳＢフラッシュ・ドライブ、リムーバブル・ハード・ディスク、リード・オンリー・メモリ（Read-Only  Memory，ＲＯＭ）、ランダム・アクセス・メモリ（Random  Access  Memory，ＲＡＭ）、磁気ディスク、又は光ディスクのような、プログラムコードを記憶することができる如何なる媒体も含む。
【０１６８】
上記の記載は、本願の具体的な実施にすぎず、本願の保護範囲を制限する意図はない。本願で開示される技術的範囲内で当業者によって容易に想到される如何なる変形又は置換も、本願の保護範囲内にあるべきである。従って、本願の保護範囲は、特許請求の範囲の保護範囲に従うべきである。
【図１】
0006934525.tif 000004
【図２】
0006934525.tif 000005
【図３】
0006934525.tif 000006
【図４】
0006934525.tif 000007
【図５】
0006934525.tif 000008
【図６】
0006934525.tif 000009
【図７】
0006934525.tif 000010
【図８】
0006934525.tif 000011